(57)【要約】【課題】本発明では基礎に安定に敷設出来、かつ表面板が上からの圧力によって凹みにくい床材を提供することを課題とする。【解決手段】  周枠３と、該周枠３内側にゴバン目状に差渡される主リブ４と、該主リブ４のゴバン目内にゴバン目状に差渡される副リブ５と、該周枠３上面に張設され該主リブ４と該副リブ５とによって下面を支持補強されている基面板６とからなるベース２と、該ベース２の基面板６上に被着されている表面板１６とからなる床材１であって、該ベース２の裏面四隅には該床材１を連結する連結板２２の係合片２３が係合する係合筒孔１１が設けられており、更に該周枠３の裏面四辺中央部にも一対の係合筒孔１１，１１が設けられており、該周枠３の下縁四隅と四辺中央部には該連結板２２本体の厚みに略等しい幅の切込み１５が形成されており、周枠３下縁および主リブ４下縁によって該床材１は接地する床材１を提供する。【選択図】  図７
2005194762.tif 000002
【特許請求の範囲】
【請求項１】
周枠と、該周枠内側にゴバン目状に差渡される主リブと、該主リブのゴバン目内にゴバン目状に差渡される副リブと、該周枠上面に張設され該主リブと該副リブとによって下面を支持補強されている基面板とからなるベースと、該ベースの基面板上に被着されている表面板とからなる床材であって、該ベースの裏面四隅には該床材を連結する連結板の係合片が係合する係合筒孔が設けられており、更に該周枠の裏面四辺中央部にも一対の係合筒孔が設けられており、該周枠の下縁四隅と四辺中央部には該連結板本体の厚みに略等しい幅の切込みが形成されており、周枠下縁および主リブ下縁によって該床材は接地することを特徴とする床材
【請求項２】
該基面板の中央線に沿って切込みが設けられており、該表面板の裏面には中央線に沿って該基面板の切込みに嵌合する凸条が設けられており、該表面板の表面には該裏面凸条に沿って浅溝が設けられている請求項１に記載の床材。
【請求項３】
該ベースの左右二辺には先端に鉤形状を形成した弾性係合片が複数個立設されており、該表面板の左右二辺周壁部の下縁には係合段部が形成されており、該表面板は該左右二辺周壁部の係合段部に該ベースの係合片の鉤形状を係合することによって該ベース上に着脱可能に固定される請求項１または２に記載の床材。
【請求項４】
該床材の一対を該連結板によって連結した床構造であって、該連結板の本体四隅には該床材の係合筒孔に係合する係合片が立設されており、該連結板の係合片を双方の床材の係合筒孔に係合することによって連結し、該連結板は該床材のベースの周枠の切込みに挿入状態とされていることを特徴とする床材敷設構造。
【請求項５】
該床材の係合筒孔の下端部には係合爪が設けられ、該連結板の係合片の先端にも係合爪が設けられ、該床材の係合筒孔の係合爪と該連結板の係合片の係合爪とが係合することによって該連結板は該床材相互を連結しかつ固定されている請求項４に記載の床材敷設構造。
【請求項６】
該連結板本体表面には切断または床材位置合わせのための十字罫書き線が描かれている請求項４または５に記載の床材敷設構造。
【発明の詳細な説明】
【技術分野】
【０００１】
本発明は建築物の床や舗道、公園や庭園の遊歩道等に敷設される床材および該床材の複数個を連結した床材敷設構造に関するものである。
【背景技術】
【０００２】
この種の床材ないし床材敷設構造としては、樹脂製枠体上に床板を載置した構成Ａ（例えば特許文献１参照）、樹脂製ベース板上にタイルを載置した構成Ｂ（例えば特許文献２参照）、更には床パネル相互を固定脚によって連結した構成Ｃ（例えば特許文献３参照）等がある。
【０００３】
【特許文献１】特開平５−２２２８２７号公報（請求項１、図１）
【特許文献２】特開２００２−２１３０６５号公報（請求項１、図１）
【特許文献３】特開２００１−３２５１０号公報（請求項１、図１）
【発明の開示】
【発明が解決しようとする課題】
【０００４】
上記従来構成Ａにあっては、床板が枠体の補強突条（リブ）のみによって支持されているので、床が上からの圧力によって凹み易く、歩行感が悪化すると云う問題点があり、上記従来構成Ｂにあっては、台座部のリブ状下縁によってのみ接地するので、凹凸のある地盤（基礎）上に接地した時不安定になり、やはり歩行感が悪化すると云う問題点があり、上記従来構成Ｃにあっては、床パネルが固定脚によって浮いた状態になるので、接地状態が不安定になり、やはり歩行感が悪化すると云う問題点がある。
【課題を解決するための手段】
【０００５】
本発明は上記従来の課題を解決するための手段として、周枠(3) と、該周枠(3) 内側にゴバン目状に差渡される主リブ(4) と、該主リブ(4) のゴバン目内にゴバン目状に差渡される副リブ(5) と、該周枠(3) 上面に張設され該主リブ(4) と該副リブ(5) とによって下面を支持補強されている基面板(6) とからなるベース(2) と、該ベース(2) の基面板(6) 上に被着されている表面板(16)とからなる床材(1) であって、該ベース(2) の裏面四隅には該床材(1) を連結する連結板(22)の係合片(23)が係合する係合筒孔(11)が設けられており、更に該周枠(3) の裏面四辺中央部にも一対の係合筒孔(11)が設けられており、該周枠(3) の下縁四隅と四辺中央部には該連結板(22)本体の厚みに略等しい幅の切込(14)みが形成されており、周枠(3) 下縁および主リブ(4) 下縁によって該床材(1) は接地する床材(1) を提供するものである。
該基面板(6) の中央線に沿って切込み(15)が設けられており、該表面板(16)の裏面には中央線に沿って該基面板(6) の切込み(15)に嵌合する凸条(19)が設けられており、該表面板(16)の表面には該裏面凸条(19)に沿って浅溝(21)が設けられていることが望ましく、該ベース(2) の左右二辺には先端に鉤形状(10)を形成した弾性係合片(9) が複数個立設されており、該表面板(16)の左右二辺周壁部の下縁には係合段部(18)が形成されており、該表面板(16)は該左右二辺周壁部の係合段部(18)に該ベース(2) の係合片(9) の鉤形状(10)を係合することによって該ベース(2) 上に着脱可能に固定されることが望ましい。
更に該床材(1,1) の一対を該連結板(22)によって連結した床構造であって、該連結板(22)の本体四隅には該床材(1,1) の係合筒孔(11,11) に係合する係合片(23)が立設されており、該連結板(22)の係合片(23)を双方の床材(1,1) の係合筒孔(11,11) に係合することによって連結し、該連結板(22)は該床材(1,1) のベース(2) の周枠(3) の切込み(14)に挿入状態とされている床材敷設構造が提供される。該床材(1) の係合筒孔(11)の下端部には係合爪(13)が設けられ、該連結板(22)の係合片(23)の先端にも係合爪(24)が設けられ、該床材(1) の係合筒孔(11)の係合爪(13)と該連結板(22)の係合片(23)の係合爪(24)とが係合することによって該連結板(22)は該床材(1,1) 相互を連結しかつ固定されていることが望ましく、該連結板(22)本体表面には切断または床材位置合わせのための十字罫書き線(26)が描かれていることが望ましい。
【発明の効果】
【０００６】
〔作用〕
本発明の床材(1) にあっては、ベース(2) の周枠(3) 下縁と主リブ(4) 下縁によって接地するので、接地状態は安定になる。また表面板(16)はベース(2) の基面板(6) に全面的に支持されており、更に該基面板(6) は主リブ(4) と副リブ(5) とによって下面を支持補強されているので、表面板(16)は上からの圧力によって凹みにくゝなる。
また該床材(1) の複数個を連結板(22)によって連結する場合でも、該床材(1) の周枠(3) の連結板(22)挿入部分には、該連結板(22)本体の厚みに略等しい巾の切込み(14)が形成されており、更に該連結板(22)の底面はフラットであるから、該連結板(22)の挿入によって該床材(1) が浮くことがなく、安定性が確保される。
【０００７】
〔効果〕
したがって本発明の床材は地盤（基礎）に安定に設置することが出来、また表面板も上からの圧力によって凹みにくいので、歩行感が極めて良好なものになる。
【発明を実施するための最良の形態】
【０００８】
本発明を図１〜図９に示す一実施例によって説明すれば、床材(1) のベース(2) は、周枠(3) と、該周枠(3) の内側にゴバン目状に差渡された主リブ(4) と、該主リブ(4) のゴバン目内に４５°傾斜状態で細目のゴバン目状に差渡される副リブ(5) と、該周枠(3) 上面に張設され、該主リブ(4) と該副リブ(5) とによって下面を支持補強されている基面板(6) とからなり、該ベース(2) の左右には低段部(7,7) 形成されている。
【０００９】
該周枠(3) の下縁と該主リブ(4) の下縁とは同一レベルにあり、したがって該床材(1) を基礎に設置した時、該周枠(3) の下縁と該主リブ(4) の下縁とが接地し、該副リブ(5) は該主リブ(4) より巾狭に設定され奥側に引込み状態にある。また周枠(3) の前後辺(3A,3A) は基面板(6) から突出し、表面板(16)の前後方向のストッパーとして機能している。
【００１０】
該基面板(6) の左右には該基面板(6) の上面から低段部(7) にかけて複数個（６個）の切欠き(8) が設けられており、該切欠き(8) には最外側の主リブ(4) から立設されている弾性係合片(9) が臨出しており、該係合片(9) の先端には鉤形状(10)が形成されている。
【００１１】
更に該ベース(2) の裏面四隅には、図５に示すように後記する連結板(22)の係合片(23)が係合する係合筒孔(11)が設けられており、更に四辺中央部にも一対の係合筒孔(11)が設けられており、該係合筒孔(11)の両側には一対のガイド溝(12,12) が形成されており、該ガイド溝(12,12) の下端部には係合爪(13,13) が設けられており、該ガイド溝(12,12) の上端は該基面板(6) に開口する。
【００１２】
更に図１に示すように該ベース(2) の周枠(3) の下縁四隅および四辺中央部には該連結板(22)の本体の厚みに略等しい巾の切込み(14)が設けられており、更に基面板(6) の中央部には切込み(15)が設けられている。
【００１３】
該ベース(2) の上面には表面板(16)が被着されるが、図１および図３に示すように該表面板(16)の左右側縁には側壁(17,17) が設けられ、該側壁(17,17) の内側下縁には係合段部(18)が設けられ、該表面板(16)の中央部には凸条(19)が形成されており、該凸条(19)の根端両側には係合溝(20)が設けられている。そして該表面板(16)の凸条(19)の位置で該表面板(16)上面には浅溝(21)が形成されている。
【００１４】
該表面板(16)をベース(2) 上に被着するには、該表面板(16)の凸条(19)をベース(2) の基面板(6) の切込み(15)に嵌合し、該凸条(19)の根端両側の係合溝(20,20) に該切込み(15)の両縁を係合すると共に、該表面板(16)の左右両側壁(17,17) の係合段部(18)に該ベース(2) の係合片(9) の鉤形状(10)をそれぞれ係合する。この状態で該表面板(16)の前後縁はストッパーである周枠(3) 前後辺(3A,3A) に当接して前後方向に固定される。
【００１５】
該連結板(22)は図６に示すように本体四隅から一対の係合片(23,23) が設けられており、該係合片(23,23) の先端には係合爪(24,24) が形成され、また該係合片(23,23) 根端外側には水抜き孔(25,25) が設けられている。更に連結板(22)本体上面には十字罫書き線(26,26) が描かれており、該罫書き線(26,26) は該連結板(22)を分割切断するためのガイド線あるいは床材(1) に取付けるための位置合わせに使用する。
【００１６】
上記ベース(2) や表面板(16)は例えばポリエチレン、ポリプロピレン、ポリエステル、ＡＢＳ樹脂、ポリカーボネート樹脂等の熱可塑性樹脂、あるいは該熱可塑性樹脂の成形品の廃棄物から再生された再生樹脂等の射出成形品であり、該表面板(16)の裏面中央部には凸条(19)が設けられているので、該表面板(16)の上面は該凸条(19)に沿ってヒケが発生し易い。そこで該表面板(16)上面中央部には該凸条(19)に沿って浅溝(21)を設けてヒケが目立たなくなるようにする。通常該ベース(2) は例えば黒色、青色等の暗色系色彩が施され、該表面板(16)は黄色、緑色、赤色等の明色系色彩が施され、また所望なれば該ベース(2) や該表面板(16)には柾目調、木目調等の模様が付されてもよい。
【００１７】
上記床材(1,1) 相互を連結板(22)によって連結するには、図７に示すように該連結板(22)の係合片(23,23) を床材(1,1) の係合筒孔(11,11) に嵌合する。この際該連結板(22)の係合片(23,23) の係合爪(24,24) を該床材(1,1) の係合筒孔(11,11) のガイド溝(12,12) 内に挿入し摺動させ、該係合片(23,23) の係合爪(24,24) を該ガイド溝(12,12) の係合爪(13,13) に係合させる。床材(1,1) の連結状態では該連結板(22)の本体は該ベース(2) の周枠(3) の切込み(14)に挿入された状態になるので、該床材(1,1) は該連結板(22)の厚みによって浮上することはない。
【００１８】
本発明の床材(1) にあっては、該連結板(22)の係合片(23,23) が係合する係合筒孔(11)が四隅と四辺中央部に一対設けられているので、四隅の係合筒孔(11)を選択したり、四辺中央部の係合筒孔(11,11) を選択して種々なパターンの連結を行うことが出来る。
【００１９】
例えば図８に示すパターンでは四個の床材(1) の四隅の係合筒孔(11)を介して連結板(22)によって井形に結合し、例えば図９に示すパターンでは二個の床材(1,1) の四隅の係合筒孔(11)を介して連結板(22)によって連結しておき、その二組の二個連結床材(1,1) 相互を床材(1,1) の一辺長さの１／２ずらし、双方の組の二個連結床材(1,1) の一辺の中央部の一対の係合筒孔(11,11) を介して連結板(22)によって連結して千鳥状にする。
【００２０】
更に本発明にあっては、図１０に示すようにベース(2) を前後方向に２個連結し、その上に縦長（前実施例の２倍長）の表面板(16A) を被着した床材(1A)、あるいは更に３倍長、４倍長等のサイズのものが提供される。この場合ベース(2) の周枠(3) 前後辺(3A,3A) の内側のものは邪魔にならないように切除する。
【産業上の利用可能性】
【００２１】
本発明の床材は基礎に安定に接地出来、そして表面板も上からの圧力によって凹みにくゝ、歩行感が良好であり、かつ色々なパターンに連結することが出来る。
【図面の簡単な説明】
【００２２】
図１〜図９は本発明の一実施例を示すものである。
【図１】分解斜視図
【図２】ベース裏側斜視図
【図３】斜視図
【図４】部分側断面図
【図５】係合筒説明図
【図６】連結板斜視図
【図７】連結状態部分側断面図
【図８】井桁状連結パターン説明図
【図９】千鳥状連結パターン説明図
【図１０】他の実施例の斜視図
【符号の説明】
【００２３】
1,1A        床材
2           ベース
3           周枠
4           主リブ
5           副リブ
6           基面板
9           弾性係合片
10          鉤形状
11          係合筒孔
13          係合爪
14          切込み
15          切込み
16,16A      表面板
18          係合段部
19          凸条
21          浅溝
22          連結板
23          係合片
24          係合爪
26          十字罫書き線
【図１】
2005194762.tif 000003
【図２】
2005194762.tif 000004
【図３】
2005194762.tif 000005
【図４】
2005194762.tif 000006
【図５】
2005194762.tif 000007
【図６】
2005194762.tif 000008
【図７】
2005194762.tif 000009
【図８】
2005194762.tif 000010
【図９】
2005194762.tif 000011
【図１０】
2005194762.tif 000012